(57)【要約】１種以上の農薬成分が粒状肥料に含浸または粒状肥料の表面に付着されてなり、且つ１グラム当たりの粒数が１５〜８０の範囲である農薬含有粒状肥料組成物を、施肥機を用いて土壌に施用することを含む含農薬粒状肥料の施用方法。【特許請求の範囲】
【請求項１】
１種以上の農薬成分が粒状肥料に含浸または粒状肥料の表面に付着されてなり、且つ１グラム当たりの粒数が１５〜８０の範囲である農薬含有粒状肥料組成物を、施肥機を用いて土壌に施用することを含む含農薬粒状肥料の施用方法。
【請求項２】
前記農薬含有粒状肥料組成物の見かけ比重が０．８５〜１．０７の範囲である請求の範囲１に記載の方法。
【請求項３】
前記農薬成分が、前記農薬含有粒状肥料組成物１００重量部に対して０．００１〜５．０重量部含有される請求の範囲１または２に記載の方法。
【請求項４】
前記農薬成分が、殺菌剤、殺虫剤、除草剤および植物成長調整剤からなる群より選ばれる１種以上の農薬成分である請求の範囲１〜３のいずれかに記載の方法。
【請求項５】
前記農薬成分が、殺虫剤である請求の範囲１〜３のいずれかに記載の方法。
【請求項６】
前記殺虫剤が、ネオニコチノイド化合物である請求の範囲５に記載の方法。
【請求項７】
前記ネオニコチノイド化合物が、クロチアニジン、ニテンピラム、イミダクロプリド、チアクロプリド、チアメトキサム、アセタミプリドまたはジノテフランである請求の範囲６に記載の方法。
【請求項８】
前記施肥機が、肥料の繰出量を開閉板の開度により調整する施肥機である請求の範囲１〜７のいずれかに記載の方法。
【請求項９】
前記施肥機が、肥料の繰出量を散布ロールに設けられた溝の幅と散布ロールの回転速度とにより調整する施肥機である請求の範囲１〜７のいずれかに記載の方法。
【請求項１０】
さらに、肥料をホッパーの底板に設けられた排出口から落下させて施用する方式の施肥機である請求の範囲８または９に記載の方法。
【請求項１１】
さらに、肥料を遠心力により施用する方式の施肥機である請求の範囲８または９に記載の方法。
【請求項１２】
畑に施用する請求の範囲１〜１１のいずれかに記載の方法。
【請求項１３】
前記畑が、甘藷を栽培する畑である請求の範囲１２に記載の方法。
【請求項１４】
畑への施用が、作条処理である請求の範囲１２または１３に記載の方法。
【請求項１５】
畑への施用が、畦内処理である請求の範囲１２または１３に記載の方法。
【請求項１６】
畑への施用が、全層処理である請求の範囲１２または１３に記載の方法。
【請求項１７】
１種以上の農薬成分が粒状肥料に含浸または粒状肥料の表面に付着されてなり、且つ１グラム当たりの粒数が１５〜８０の範囲である農薬含有粒状肥料組成物。
【請求項１８】
前記農薬含有粒状肥料組成物の見かけ比重が０．８５〜１．０７の範囲である請求の範囲１７に記載の農薬含有粒状肥料組成物。
【発明の詳細な説明】
【技術分野】
【０００１】
本発明は、農薬含有粒状肥料の施用方法に関する。
【背景技術】
【０００２】
従来から、農産物の増収を目的に、肥料や農薬が用いられている。本来、肥料は、栽培植物の成長に合わせて施用され、一方、農薬は対象とする病害虫や雑草などの発生状況に応じて施用されることから、その施用作業は別々に行われてきた。しかしながら、何れの作業も多くの労力を要するものであり、殊に、昨今の農業従事者の高齢化等に伴い、肥料や農薬の施用を含む農作業の省力化が切望されてきた。
かかる状況下、農作業の機械化や製剤の改良が進められ、種々の施肥機や農薬成分含有の肥料製剤が開発されている。
施肥機としては、通常、耕運機やトラクター等の自走式車両に取付けられる施肥機が用いられる。かかる施肥機としては、例えば、ホッパーの底板排出口の直上にモータの駆動で回転する溝付きの散布ロールが設けられ、該モータの回転数を制御することにより、該ロールから落とされる肥料の量を調整する施肥機が知られている（例えば、ＪＰ２００５−３１２３５１−Ａ参照。）。
また、農薬成分含有の肥料製剤としては、農薬を含有する粒状肥料（以下、含農薬肥料と記す）が提案されている（例えば、ＪＰＨ０２−３８３９３−Ａ参照。）。含農薬肥料の製造方法としては、肥料を造粒し粒状肥料を調製するに際し農薬成分を練り込む方法と、調製された粒状肥料に農薬成分を含浸させるか、あるいは該粒状肥料を農薬成分で被覆する方法の２つに大別される。
これらのうち、農薬成分を練り込む方法は、通常の化成肥料製造設備で調製可能であるものの、用いた農薬成分の混入が懸念されるため、通常の粒状肥料や異種の農薬成分を含む含農薬肥料の製造に兼用することができない。そのため夫々、専用の製造設備とすることが必要となる。一方、粒状肥料に農薬成分を含浸させるか、あるいは粒状肥料を農薬成分で被覆する方法は、目的に応じた市販の粒状肥料を用いて所望の含農薬肥料を調製できる等の利点を有することから、多品目に亘る含農薬肥料の調製法として汎用されている（例えば、ＪＰ２０００−３１３６８５−Ａ参照。）。【０００３】
しかしながら、粒状肥料に農薬成分を含浸させるか、あるいは粒状肥料を農薬成分で被覆する方法により調製された含農薬肥料は、これを施肥機を用いて施用すると農薬成分の散布の均一性が損なわれてしまうという問題があった。【０００４】
このような状況下、本発明者らは鋭意検討を行った結果、含農薬粒状肥料を施肥機を用いて散布する場合においても、農薬成分を土壌に均一に散布できる方法、及びそのための農薬含有粒状肥料組成物を見出した。
【発明の開示】
【０００５】
すなわち本発明は、次の通りである。
［１］  １種以上の農薬成分が粒状肥料に含浸または粒状肥料の表面に付着されてなり、且つ１グラム当たりの粒数が１５〜８０の範囲である農薬含有粒状肥料組成物（以下、本組成物と記すことがある。）を、施肥機を用いて土壌に施用することを含む含農薬粒状肥料の施用方法。
【０００６】
［２］  前記農薬含有粒状肥料組成物の見かけ比重が０．８５〜１．０７の範囲である［１］に記載の方法。
【０００７】
［３］  前記農薬成分が、前記農薬含有粒状肥料組成物１００重量部に対して０．００１〜５．０重量部含有される［１］または［２］に記載の方法。
【０００８】
［４］  前記農薬成分が、殺菌剤、殺虫剤、除草剤および植物成長調整剤からなる群より選ばれる１種以上の農薬成分である［１］〜［３］のいずれかに記載の方法。
【０００９】
［５］  前記農薬成分が、殺虫剤である［１］〜［３］のいずれかに記載の方法。
【００１０】
［６］  前記殺虫剤が、ネオニコチノイド化合物である［５］に記載の方法。
【００１１】
［７］  前記ネオニコチノイド化合物が、クロチアニジン、ニテンピラム、イミダクロプリド、チアクロプリド、チアメトキサム、アセタミプリドまたはジノテフランである［６］に記載の方法。
【００１２】
［８］  前記施肥機が、肥料の繰出量を開閉板の開度により調整する施肥機である［１］〜［７］のいずれかに記載の方法。
【００１３】
［９］  前記施肥機が、肥料の繰出量を散布ロールに設けられた溝の幅と散布ロールの回転速度とにより調整する施肥機である［１］〜［７］のいずれかに記載の方法。
【００１４】
［１０］  さらに、肥料をホッパーの底板に設けられた排出口から落下させて施用する方式の施肥機である［８］または［９］に記載の方法。
【００１５】
［１１］  さらに、肥料を遠心力により施用する方式の施肥機である［８］または［９］に記載の方法。
【００１６】
［１２］  畑に施用する［１］〜［１１］のいずれかに記載の方法。
【００１７】
［１３］  前記畑が、甘藷を栽培する畑である［１２］に記載の方法。
【００１８】
［１４］  畑への施用が、作条処理である［１２］または［１３］に記載の方法。
【００１９】
［１５］  畑への施用が、畦内処理である［１２］または［１３］に記載の方法。
【００２０】
［１６］  畑への施用が、全層処理である［１２］または［１３］に記載の方法。
【００２１】
［１７］  １種以上の農薬成分が粒状肥料に含浸または粒状肥料の表面に付着されてなり、且つ１グラム当たりの粒数が１５〜８０の範囲である農薬含有粒状肥料組成物。
【００２２】
［１８］  前記農薬含有粒状肥料組成物の見かけ比重が０．８５〜１．０７の範囲である［１７］に記載の農薬含有粒状肥料組成物。
【００２３】
本発明によれば、施肥機を用いる含農薬粒状肥料の土壌散布において、農薬成分を均一に散布することが可能な含農粒状薬肥料の施用方法、及びそのための農薬含有粒状肥料組成物が提供される。
【発明を実施するための形態】
【００２４】
本組成物に用いられる粒状肥料（以下、本粒状肥料と記すことがある。）に含まれる肥料成分としては、植物栽培において養分を与えるために土壌に施される窒素、リン、カリウム、珪素、マグネシウム、カルシウム、マンガン、ホウ素、鉄等の種々の元素を含有する物質が挙げられ、例えば、尿素、硝酸アンモニウム、硝酸苦土アンモニウム、塩化アンモニウム、硫酸アンモニウム、リン酸アンモニウム、硝酸ソーダ、硝酸カルシウム、硝酸カリウム、石灰窒素、ホルムアルデヒド加工尿素（ＵＦ）、アセトアルデヒド加工尿素（ＣＤＵ）、イソブチルアルデヒド加工尿素（ＩＢＤＵ）、グアニール尿素（ＧＵ）等の窒素質肥料成分；過リン酸石灰、重過リン酸石灰、熔成リン、腐植酸リン、焼成リン、重焼リン、苦土過リン酸、ポリリン酸アンモニウム、メタリン酸カリウム、メタリン酸カルシウム、苦土リン酸、硫リン安、リン硝安カリウム、塩リン安等のリン酸質肥料成分；塩化カリウム、硫酸カリウム、硫酸カリソーダ、硫酸カリ苦土、重炭酸カリウム、リン酸カリウム等のカリウム質肥料成分；珪酸カルシウム等の珪酸質肥料成分；硫酸マグネシウム、塩化マグネシウム等のマグネシウム質肥料成分；生石灰、消石灰、炭酸カルシウム等のカルシウム質肥料成分；硫酸マンガン、硫酸苦土マンガン、鉱さいマンガン等のマンガン質肥料成分；ホウ酸、ホウ酸塩等のホウ素質肥料成分；鉄鋼スラグ等の含鉄肥料成分を挙げることができる。
【００２５】
本組成物は、前記肥料成分からなる粒状肥料、または、前記肥料成分が担体に保持された粒状肥料を用いて調製することができる。肥料成分が保持される担体としては、例えば、カオリナイト等のカオリン鉱物、モンモリロナイト、スメクタイト、タルク、ロウ石、シリカ、含水珪酸カルシウム、炭酸カルシウム、ゼオライト、酸性白土等の鉱物質担体；セルロース、籾殻、澱粉、大豆粉等の植物質担体；乳糖、蔗糖、デキストリン、食塩、トリポリリン酸ナトリウム等の水溶性担体；アジピン酸ジデシル、綿実油、パーム油等の液体担体が挙げられ、これらの担体は組合せて用いてもよい。
【００２６】
肥料成分からなる粒状肥料としては、窒素（Ｎ）、リン（Ｐ）およびカリウム（Ｋ）より選ばれる肥料成分の一種以上、特にこれら三種全ての肥料成分を含有する化成肥料の使用が好ましい。その具体例としては、ＮＰＫ成分型（Ｎ−Ｐ２Ｏ５−Ｋ２Ｏ）肥料が挙げられ、かかる肥料としては、例えば、５−５−７（Ｎ−Ｐ２Ｏ５−Ｋ２Ｏの重量比率を意味する。以下同じ。）、１２−１２−１６等の１型平上り型、５−５−５、１４−１４−１４等の２型水平型、６−６−５、８−８−５等の３型平下がり型、４−７−９、６−８−１１等の４型上り型、４−７−７、１０−２０−２０等の５型上り平型、４−７−４、６−９−６等の６型山型、６−４−５、１４−１０−１３等の７型谷型、６−５−５、１８−１１−１１等の８型下がり平型、７−６−５、１４−１２−９等の９型下がり型、３−２０−０、１８−３５−０等の１０型ＮＰ型、１６−０−１２、１８−０−１６等の１１型ＮＫ型、０−３−１４、０−１５−１５等の１２型ＰＫ型を挙げることができる。
【００２７】
本粒状肥料としては、市販の化成肥料を用いることができ、そのような化成肥料としては、例えば、たま化成Ｓ［住友化学（株）製、Ｎ−Ｐ２Ｏ５−Ｋ２Ｏ：１４−２−１７］、ＳＲ化成１６２［住友化学（株）製、Ｎ−Ｐ２Ｏ５−Ｋ２Ｏ：１１−１６−２２］、八重穂［住友化学（株）製、Ｎ−Ｐ２Ｏ５−Ｋ２Ｏ：１０−２０−１５］、金泉特号［住友化学（株）製、Ｎ−Ｐ２Ｏ５−Ｋ２Ｏ：１４−２０−１２］、スミベース［住友化学（株）製、Ｎ−Ｐ２Ｏ５−Ｋ２Ｏ：８−１８−１４］、冨印燐安加里［住友化学（株）製、Ｎ−Ｐ２Ｏ５−Ｋ２Ｏ：１３−１３−１３］、えびす印燐安加里［住友化学（株）製、Ｎ−Ｐ２Ｏ５−Ｋ２Ｏ：１０−１４−１３］、苦土入り燐安加里特号［住友化学（株）製、Ｎ−Ｐ２Ｏ５−Ｋ２Ｏ：１２−８−１０］、大黒印燐安加里［住友化学（株）製、Ｎ−Ｐ２Ｏ５−Ｋ２Ｏ：１４−８−１２］、いずみ化成１５号［住友化学（株）製、Ｎ−Ｐ２Ｏ５−Ｋ２Ｏ：１５−１５−１５］、すずらん特号［住友化学（株）製、Ｎ−Ｐ２Ｏ５−Ｋ２Ｏ：６−２０−２０］、いずみ化成４０４［住友化学（株）製、Ｎ−Ｐ２Ｏ５−Ｋ２Ｏ：１４−２０−１４］、いずみ化成４６４［住友化学（株）製、Ｎ−Ｐ２Ｏ５−Ｋ２Ｏ：１４−１６−１４］、硝燐加特１号［住友化学（株）製、Ｎ−Ｐ２Ｏ５−Ｋ２Ｏ：１７−１０−８］、硝燐加特２号［住友化学（株）製、Ｎ−Ｐ２Ｏ５−Ｋ２Ｏ：１６−８−１４］、銀泉特号［住友化学（株）製、Ｎ−Ｐ２Ｏ５−Ｋ２Ｏ：１４−６−１６］、スミカユーキ７７７［住友化学（株）製、Ｎ−Ｐ２Ｏ５−Ｋ２Ｏ：７−７−７］、住化有機０５８［住友化学（株）製、Ｎ−Ｐ２Ｏ５−Ｋ２Ｏ：１０−１５−８］、住化有機０５０［住友化学（株）製、Ｎ−Ｐ２Ｏ５−Ｋ２Ｏ：１０−５−１０］、森林肥料特号［住友化学（株）製、Ｎ−Ｐ２Ｏ５−Ｋ２Ｏ：２０−１０−２０］、森林特２号［住友化学（株）製、Ｎ−Ｐ２Ｏ５−Ｋ２Ｏ：１３−１７−１２］を挙げることができる。
【００２８】
前記化成肥料は、通常、肥料成分を含有する塩の粉末何種類かを所定の配合量に混合し、場合により、更にこれにバインダーとしてベントナイト、リグニンスルホン酸塩、カルボキシルメチルセルロース等を添加混合し、混合物に水をスプレーしながら皿型転動造粒機、又は、円筒型回転造粒機等によって造粒し、造粒物を円筒型回転乾燥機で乾燥する方法により製造される。１グラム当りの粒数は、通常５〜２００（粒／ｇ）である。かかる方法により得られる化成肥料は、略球形状であり、最小径と最大径の比、いわゆる最小径／最大径が通常０．６〜１．０である。ここで、最小径とは、化成肥料の投影図における輪郭線上の任意の２点をその間の長さが最小になるように選んだ時の長さを指し、また、最大径とは、化成肥料の投影図における輪郭線上の任意の２点をその間の長さが最大になるように選んだ時の長さである。また、一般的な化成肥料の粒度は１ｍｍ〜１５ｍｍである。
【００２９】
本組成物に含まれる農薬成分としては、殺虫剤、殺菌剤、除草剤、植物生長調整剤、忌避剤、微生物資材等が挙げられる。
【００３０】
そして、殺虫剤、殺菌剤、除草剤、植物成長調整剤、微生物資材として具体的には、クロチアニジン［（Ｅ）−１−（２−クロロ−１，３−チアゾール−５−イルメチル）−３−メチル−２−ニトログアニジン］、（Ｅ）−Ｎ−（６−クロロ−３−ピリジルメチル）−Ｎ−エチル−Ｎ’−メチル−２−ニトロビニリデンジアミン、１−（６−クロロ−３−ピリジルメチル）−Ｎ−ニトロイミダゾリジン−２−イリデンアミン、３−（２−クロロ−１，３−チアゾール−５−イルメチル）−５−メチル−１，３，５−オキサジアジナン−４−イリデン（ニトロ）アミン、（Ｅ）−Ｎ−［（６−クロロ−３−ピリジル）メチル］−Ｎ’−シアノ−Ｎ−メチルアセトアニジン、（ＲＳ）−１−メチル−２−ニトロ−３−（テトラヒドロ−３−フリルメチル）グアニジン、３−（６−クロロ−３−ピリジルメチル）−１，３−チアゾリジン−２−イリデンシアナミド等のネオニコチノイド化合物、
フェニトロチオン［Ｏ，Ｏ−ジメチルＯ−（３−メチル−４−ニトロフェニル）ホスホロチオエート］、フェンチオン［Ｏ，Ｏ−ジメチルＯ−（３−メチル−４−（メチルチオ）フェニル）ホスホロチオエート］、ダイアジノン［Ｏ，Ｏ−ジエチル−Ｏ−２−イソプロピル−６−メチルピリミジン−４−イルホスホロチオエート］、クロルピリホス［Ｏ，Ｏ−ジエチル−Ｏ−３，５，６−トリクロロ−２−ピリジルホスホロチオエート］、アセフェート［Ｏ，Ｓ−ジメチルアセチルホスホラミドチオエート］、メチダチオン［Ｓ−２，３−ジヒドロ−５−メトキシ−２−オキソ−１，３，４−チアジアゾール−３−イルメチルＯ，Ｏ−ジメチルホスホロジチオエート］、ジスルホトン［Ｏ，Ｏ−ジエチルＳ−２−エチルチオエチルホスホロジチオエート］、ＤＤＶＰ［２，２−ジクロロビニルジメチルホスフェート］、スルプロホス［Ｏ−エチルＯ−４−（メチルチオ）フェニルＳ−プロピルホスホロジチオエート］、シアノホス［Ｏ−４−シアノフェニルＯ，Ｏ−ジメチルホスホロチオエート］、ジオキサベンゾホス［２−メトキシ−４Ｈ−１，３，２−ベンゾジオキサホスホリン−２−スルフィド］、ジメトエート［Ｏ，Ｏ−ジメチル−Ｓ−（Ｎ−メチルカルバモイルメチル）ジチオホスフェート］、フェントエート［エチル２−ジメトキシホスフィノチオイルチオ（フェニル）アセテート］、マラチオン［ジエチル（ジメトキシホスフィノチオイルチオ）サクシネート］、トリクロルホン［ジメチル２，２，２−トリクロロ−１−ヒドロキシエチルホスホネート］、アジンホスメチル［Ｓ−３，４−ジヒドロ−４−オキソ−１，２，３−ベンゾトリアジン−３−イルメチルＯ，Ｏ−ジメチルホスホロジチオエート］、モノクロトホス［ジメチル−｛（Ｅ）−１−メチル−２−（メチルカルバモイル）ビニル｝ホスフェート］、エチオン［Ｏ，Ｏ，Ｏ’，Ｏ’−テトラエチル−Ｓ，Ｓ’−メチレンビス（ホスホロジチオエート）］、カズサホス［ホスホロジチオ酸Ｏ−エチルＳ，Ｓ−ジ−ｓｅｃ−ブチル］等の有機リン系化合物、
ＢＰＭＣ［２−ｓｅｃ−ブチルフェニルメチルカーバメート］、ベンフラカルブ［エチル  Ｎ−｛２，３−ジヒドロ−２，２−ジメチルベンゾフラン−７−イルオキシカルボニル（メチル）アミノチオ｝−Ｎ−イソプロピル−β−アラニネート］、プロポキスル［２−イソプロポキシフェニル−Ｎ−メチルカーバメート］、カルボスルファン［２，３−ジヒドロ−２，２−ジメチル−７−ベンゾ［ｂ］フラニル  Ｎ−ジブチルアミノチオ−Ｎ−メチルカーバメート］、カルバリル［１−ナフチル−Ｎ−メチルカーバメート］、メソミル［Ｓ−メチル−Ｎ−（メチルカルバモイルオキシ）チオアセトイミデート］、エチオフェンカルブ［２−（エチルチオメチル）フェニルメチルカーバメート］、アルジカルブ［２−メチル−２−（メチルチオ）プロピオンアルデヒド  Ｏ−メチルカルバモイルオキシム］、オキサミル［Ｎ，Ｎ−ジメチル−２−メチルカルバモイルオキシイミノ−２−（メチルチオ）アセトアミド］、フェノチオカルブ［Ｓ−４−フェノキシブチル−Ｎ，Ｎ−ジメチルチオカーバメート］等のカーバメート系化合物、
エトフェンプロックス［２−（４−エトキシフェニル）−２−メチル−１−（３−フェノキシベンジル）オキシプロパン］、フェンバレレート［（ＲＳ）−α−シアノ−３−フェノキシベンジル  （ＲＳ）−２−（４−クロロフェニル）−３−メチルブチレート］、エスフェンバレレート［（Ｓ）−α−シアノ−３−フェノキシベンジル  （Ｓ）−２−（４−クロロフェニル）−３−メチルブチレート］、フェンプロパトリン［（ＲＳ）−α−シアノ−３−フェノキシベンジル  ２，２，３，３−テトラメチルシクロプロパンカルボキシレート］、シペルメトリン［（ＲＳ）−α−シアノ−３−フェノキシベンジル  （１ＲＳ）−シス，トランス−３−（２，２−ジクロロビニル）−２，２−ジメチルシクロプロパンカルボキシレート］、ペルメトリン［３−フェノキシベンジル（１ＲＳ）−シス，トランス−３−（２，２−ジクロロビニル）−２，２−ジメチルシクロプロパンカルボキシレート］、シハロトリン［（ＲＳ）−α−シアノ−３−フェノキシベンジル  （１ＲＳ，３Ｚ）−シス−３−（２−クロロ−３，３，３−トリフルオロプロプ−１−エニル）−２，２−ジメチルシクロプロパンカルボキシレート］、デルタメトリン［（Ｓ）−α−シアノ−３−フェノキシベンジル  （１Ｒ）−シス−３−（２，２−ジブロモビニル）−２，２−ジメチルシクロプロパンカルボキシレート］、シクロプロトリン［（ＲＳ）−α−シアノ−３−フェノキシベンジル  （ＲＳ）−２，２−ジクロロ−１−（４−エトキシフェニル）シクロプロパンカルボキシレート］、フルバリネート［α−シアノ−３−フェノキシベンジル  Ｎ−（２−クロロ−α，α，α−トリフルオロ−ｐ−トリル）−Ｄ−バリネート］、ビフェンスリン［２−メチル−３−フェニルベンジル  （１ＲＳ，３Ｚ）−シス−３−（２−クロロ−３，３，３−トリフルオロ−１−プロペニル）−２，２−ジメチルシクロプロパンカルボキシレート］、ハルフェンプロックス［２−（４−ブロモジフルオロメトキシフェニル）−２−メチル−１−（３−フェノキシベンジル）メチルプロパン］、トラロメトリン［（Ｓ）−α−シアノ−３−フェノキシベンジル  （１Ｒ）−シス−３−（１，２，２，２−テトラブロモエチル）−２，２−ジメチルシクロプロパンカルボキシレート］、シラフルオフェン［（４−エトキシフェニル）−｛３−（４−フルオロ−３−フェノキシフェニル）プロピル｝ジメチルシラン］、ｄ−フェノトリン［３−フェノキシベンジル  （１Ｒ）−シス，トランス−２，２−ジメチル−３−（２−メチル−１−プロペニル）シクロプロパンカルボキシレート］、シフェノトリン［（ＲＳ）−α−シアノ−３−フェノキシベンジル  （１Ｒ）−シス，トランス−２，２−ジメチル−３−（２−メチル−１−プロペニル）シクロプロパンカルボキシレート］、ｄ−レスメトリン［５−ベンジル−３−フリルメチル  （１Ｒ）−シス，トランス−２，２−ジメチル−３−（２−メチル−１−プロペニル）シクロプロパンカルボキシレート］、アクリナスリン［（Ｓ）−α−シアノ−３−フェノキシベンジル  （１Ｒ，３Ｚ）−シス−（２，２−ジメチル−３−｛３−オキソ−３−（１，１，１，３，３，３−ヘキサフルオロプロピルオキシ）プロペニル｝シクロプロパンカ���ボキシレート）、シフルトリン［（ＲＳ）−α−シアノ−４−フルオロ−３−フェノキシベンジル  ３−（２，２−ジクロロビニル）−２，２−ジメチルシクロプロパンカルボキシレート］、テフルトリン［２，３，５，６−テトラフルオロ−４−メチルベンジル（１ＲＳ，３Ｚ）−シス−３−（２−クロロ−３，３，３−トリフルオロ−１−プロペニル）−２，２−ジメチルシクロプロパンカルボキシレート］、トランスフルスリン［２，３，５，６−テトラフルオロベンジル  （１Ｒ）−トランス−３−（２，２−ジクロロビニル）−２，２−ジメチルシクロプロパンカルボキシレート］、テトラメトリン［３，４，５，６−テトラヒドロフタルイミドメチル  （１ＲＳ）−シス，トランス−２，２−ジメチル−３−（２−メチル−１−プロペニル）シクロプロパンカルボキシレート］、アレトリン［（ＲＳ）−２−メチル−４−オキソ−３−（２−プロペニル）−２−シクロペンテン−１−イル  （１ＲＳ）−シス，トランス−２，２−ジメチル−３−（２−メチル−１−プロペニル）シクロプロパンカルボキシレート］、プラレトリン［（Ｓ）−２−メチル−４−オキソ−３−（２−プロピニル）−２−シクロペンテン−１−イル  （１Ｒ）−シス，トランス−２，２−ジメチル−３−（２−メチル−１−プロペニル）シクロプロパンカルボキシレート］、エンペントリン［（ＲＳ）−１−エチニル−２−メチル−２−ペンテニル（１Ｒ）−シス，トランス−２，２−ジメチル−３−（２−メチル−１−プロペニル）シクロプロパンカルボキシレート］、イミプロスリン［２，５−ジオキソ−３−（２−プロピニル）イミダゾリジン−１−イルメチル  （１Ｒ）−シス，トランス−２，２−ジメチル−３−（２−メチル−１−プロペニル）シクロプロパンカルボキシレート］、ｄ−フラメトリン［５−（２−プロピニル）フルフリル  （１Ｒ）−シス，トランス−２，２−ジメチル−３−（２−メチル−１−プロペニル）シクロプロパンカルボキシレート］、５−（２−プロピニル）フルフリル  ２，２，３，３−テトラメチルシクロプロパンカルボキシレート等のピレスロイド系化合物、
ブプロフェジン［２−ｔｅｒｔ−ブチルイミノ−３−イソプロピル−５−フェニル−１，３，５−チアジアジン−４−オン］等のチアジアジン誘導体、ニトロイミダゾリジン誘導体、カルタップ［Ｓ，Ｓ’−（２−ジメチルアミノトリメチレン）ビス（チオカーバメート）］、チオシクラム［Ｎ，Ｎ−ジメチル−１，２，３−トリチアン−５−イルアミン］、ベンスルタップ［Ｓ，Ｓ’−２−ジメチルアミノトリメチレンジ（ベンゼンチオスルフォネート）］等のネライストキシン誘導体、Ｎ−シアノ−Ｎ’−メチル−Ｎ’−（６−クロロ−３−ピリジルメチル）アセトアミジン等のＮ−シアノアミジン誘導体、エンドスルファン［６，７，８，９，１０，１０−ヘキサクロロ−１，５，５ａ，６，９，９ａ−ヘキサヒドロ−６，９−メタノ−２，４，３−ベンゾジオキサチエピンオキサイド］、γ−ＢＨＣ［１，２，３，４，５，６−ヘキサクロロシクロヘキサン］、ジコホル［１，１−ビス（４−クロロフェニル）−２，２，２−トリクロロエタノール］等の塩素化炭化水素化合物、クロルフルアズロン［１−｛３，５−ジクロロ−４−（３−クロロ−５−トリフルオロメチルピリジン−２−イルオキシ）フェニル｝−３−（２，６−ジフルオロベンゾイル）ウレア］、テフルベンズロン［１−（３，５−ジクロロ−２，４−ジフルオロフェニル）−３−（２，６−ジフルオロベンゾイル）ウレア］、フルフェノクスロン［１−｛４−（２−クロロ−４−トリフルオロメチルフェノキシ）−２−フルオロフェニル｝−３−（２，６−ジフルオロベンゾイル）ウレア］等のベンゾイルフェニルウレア系化合物、アミトラズ［Ｎ，Ｎ’−｛（メチルイミノ）ジメチリジン｝−ジ−２，４−キシリジン］、クロルジメホルム［Ｎ’−（４−クロロ−２−メチルフェニル）−Ｎ，Ｎ−ジメチルメチニミダミド］等のホルムアミジン誘導体、ジアフェンチウロン［Ｎ−（２，６−ジイソプロピル−４−フェノキシフェニル）−Ｎ’−ｔ−ブチルカルボジイミド］等のチオ尿素誘導体、Ｎ−フェニルピラゾール系化合物、
フラメトピル［５−クロロ−１，３−ジメチル−Ｎ−（１，１，３−トリメチル−１，３−ジヒドロ−４−イソベンゾフラニル）−４−ピラゾールカルボキサミド］、メトキサジアゾン［５−メトキシ−３−（２−メトキシフェニル）−１，３，４−オキサジアゾール−２−（３Ｈ）−オン］、ブロモプロピレート［イソプロピル４，４’−ジブロモベンジレート］、テトラジホン［４−クロロフェニル  ２，４，５−トリクロロフェニルスルホン］、キノメチオネート［Ｓ，Ｓ−６−メチルキノキサリン−２，３−ジイルジチオカルボネート］、プロパルギット［２−（４−ｔｅｒｔ−ブチルフェノキシ）シクロヘキシルプロピ−２−イルスルファイト］、フェンブタティンオキシド［ビス｛トリス（２−メチル−２−フェニルプロピル）ティン｝オキシド］、ヘキシチアゾクス［（４ＲＳ，５ＲＳ）−５−（４−クロロフェニル）−Ｎ−クロロヘキシル−４−メチル−２−オキソ−１，３−チアゾリジン−３−カルボキサミド］、クロフェンテジン［３，６−ビス（２−クロロフェニル）−１，２，４，５−テトラジン］、ピリダベン［２−ｔｅｒｔ−ブチル−５−（４−ｔｅｒｔ−ブチルベンジルチオ）−４−クロロピリダジン−３（２Ｈ）−オン］、フェンピロキシメート［ｔｅｒｔ−ブチル  （Ｅ）−４−［（１，３−ジメチル−５−フェノキシピラゾール−４−イル）メチレンアミノオキシメチル］ベンゾエート］、デブフェンピラド［Ｎ−４−ｔｅｒｔ−ブチルベンジル）−４−クロロ−３−エチル−１−メチル−５−ピラゾールカルボキサミド］、ポリナクチンコンプレックス［テトラナクチン、ジナクチン、トリナクチン］、ピリミジフェン［５−クロロ−Ｎ−［２−｛４−（２−エトキシエチル）−２，３−ジメチルフェノキシ｝エチル］−６−エチルピリミジン−４−アミン］、ミルベメクチン、アバメクチン、イバーメクチン、アザジラクチン［ＡＺＡＤ］、５−メチル［１，２，４］トリアゾロ［３，４−ｂ］ベンゾチアゾール、メチル  １−（ブチルカルバモイル）ベンズイミダゾール−２−カーバメート、６−（３，５−ジクロロ−４−メチルフェニル）−３（２Ｈ）−ピリダジノン、１−（４−クロロフェノキシ）−３，３−ジメチル−１−（１Ｈ−１，２，４−トリアゾール−１−イル）ブタノン、（Ｅ）−４−クロロ−２−（トリフルオロメチル）−Ｎ−〔１−（イミダゾール−１−イル）−２−プロポキシエチリデン〕アニリン、１−〔Ｎ−プロピル−Ｎ−〔２−（２，４，６−トリクロロフェノキシ）エチル〕カルバモイル〕イミダゾール、（Ｅ）−１−（４−クロロフェニル）−４，４−ジメチル−２−（１Ｈ−１，２，４−トリアゾール−１−イル）−１−ペンテン−３−オール、１−（４−クロロフェニル）−４，４−ジメチル−２−（１Ｈ−１，２，４−トリアゾール−１−イル）ペンタン−３−オール、（Ｅ）−１−（２，４−ジクロロフェニル）−４，４−ジメチル−２−（１Ｈ−１，２，４−トリアゾール−１−イル）−１−ペンテン−３−オール、１−（２，４−ジクロロフェニル）−４，４−ジメチル−２−（１Ｈ−１，２，４−トリアゾール−１−イル）ペンタン−３−オール、４−〔３−（４−ｔｅｒｔ−ブチルフェニル）−２−メチルプロピル〕−２，６−ジメチルモルホリン、２−（２，４−ジクロロフェニル）−１−（１Ｈ−１，２，４−トリアゾール−１−イル）ヘキサン−２−オール、Ｏ，Ｏ−ジエチル  Ｏ−２−キノキサリニルホスホロチオエート、Ｏ−（６−エトキシ−２−エチル−４−ピリミジニル）Ｏ，Ｏ−ジメチル  ホスホロチオエート、２−ジエチルアミノ−５，６−ジメチルピリミジン−４−イル  ジメチルカーバメート、４−（２，４−ジクロロベンゾイル）−１，３−ジメチル−５−ピラゾリル  ｐ−トルエンスルホナート、４−アミノ−６−（１，１−ジメチルエチル）−３−メチルチオ−１，２，４−トリアジン−５（４Ｈ）−オン、２−クロロ−Ｎ−〔（４−メトキシ−６−メチル−１，３，５−トリアジン−２−イル）アミノカルボニル〕ベンゼンスルホンアミド、２−メトキシカルボニル−Ｎ−〔（４，６−ジメトキシピリミジン−２−イル）アミノカルボニル〕ベンゼンスルホンアミド、２−メトキシカルボニル−Ｎ−〔（４，６−ジメチルピリミジン−２−イル）アミノカルボニル〕ベンゼンスルホンアミド、２−メトキシカルボニル−Ｎ−〔（４−メトキシ−６−メチル−１，３，５−トリアジン−２−イル）アミノカルボニル〕ベンゼンスルホンアミド、２−エトキシカルボニル−Ｎ−〔（４−クロロ−６−メトキシピリミジン−２−イル）アミノカルボニル〕ベンゼンスルホンアミド、２−（２−クロロエトキシ）−Ｎ−〔（４−メトキシ−６−メチル−１，３，５−トリアジン−２−イル）アミノカルボニル〕ベンゼンスルホンアミド、２−メトキシカルボニル−Ｎ−〔（４，６−ジメトキシピリミジン−２−イル）アミノカルボニル〕フェニルメタンスルホンアミド、２−メトキシカルボニル−Ｎ−〔（４−メトキシ−６−メチル−１，３，５−トリアジン−２−イル）アミノカルボニル〕チオフェン−３−スルホンアミド、４−エトキシカルボニル−Ｎ−〔（４，６−ジメトキシピリミジン−２−イル）アミノカルボニル〕−１−メチルピラゾール−５−スルホンアミド、２−〔４，５−ジヒドロ−４−メチル−４−（１−メチルエチル）−５−オキソ−１Ｈ−イミダゾール−２−イル〕−３−キノリンカルボン酸、２−〔４，５−ジヒドロ−４−メチル−４−（１−メチルエチル）−５−オキソ−１Ｈ−イミダゾール−２−イル〕−５−エチル−３−ピリジンカルボン酸、メチル  ６−（４−イソプロピル−４−メチル−５−オキソイミダゾリン−２−イル）−ｍ−トルエート、メチル  ２−（４−イソプロピル−４−メチル−５−オキソイミダゾリン−２−イル）−ｐ−トルエート、２−（４−イソプロピル−４−メチル−５−オキソイミダゾリン−２−イル）ニコチン酸、Ｎ−（４−クロロフェニル）メチル−Ｎ−シクロペンチル−Ｎ’−フェニルウレア、（ＲＳ）−２−シアノ−Ｎ−［（Ｒ）−１（２，４−ジクロロフェニル）エチル］−３，３−ジメチルブチルアミド、Ｎ−（１，３−ジヒドロ−１，１，３−トリメチルイソベンゾフラン−４−イル）−５−クロロ−１，３−ジメチルピラゾール−４−カルボキシアミド、Ｎ−［２，６−ジブロモ−４−（トリフルオロメトキシ）フェニル］−２−メチル−４−（トリフルオロメチル）−５−チアゾールカルボキシアミド、２，２−ジクロロ−Ｎ−［１−（４−クロロフェニル）エチル］−３−メチルシクロプロパンカルボキシアミド、メチル（Ｅ）−２−２−６−（２−シアノフェノキシ）ピリミジン−４−イルオキシ−フェニル−３−メトキシアクリレイト、５−メチル−１，２，４−トリアゾロ［３，４−ｂ］ベンゾチアゾール、３−アリルオキシ−１，２−ベンゾイソチアゾール−１，１−ジオキシド、ジイソプロピル＝１，３−ジチオラン−２−イリデン−マロネート、Ｏ，Ｏ−ジプロピル−Ｏ−４−メチルチオフェニルホスフェート、ホスチアゼート［（ＲＳ）−Ｓ−セカンダリ−ブチル  Ｏ−エチル  ２−オキソ−１，３−チアゾリジン−３−イルホスホノチオエート］、イミシアホス［Ｏ−エチル＝Ｓ−プロピル＝（Ｅ）−［２−（シアノイミノ）−３−エチルイミダゾリジン−１−イル］ホスホノチオアート］、フルエンスルホン［５−クロロ−−２−［（３，４，４−トリフルオロ−３−ブテン−１−イル）スルホニル］チアゾール、バチルス・チューリンゲンシス菌（Ｂａｃｉｌｕｓ  ｔｈｕｒｉｎｇｉｅｎｓｉｓ）由来の生芽胞および産生結晶毒素、バチルス・フィルムス菌（Ｂａｃｉｌｕｓ  ｆｉｒｍｕｓ）由来の生芽胞および産生毒素、パスツーリア・ペネトランス（Ｐａｓｔｅｕｒｉａ  ｐｅｎｅｔｒａｎｓ）由来の生芽胞および産生毒素、枯草菌（Ｂａｃｉｌｕｓ  ｓｕｂｔｉｌｉｓ）由来の生芽胞が挙げられる。
【００３１】
本組成物は、１グラム当りの粒数が１５〜８０（粒／ｇ）であり、好ましくは２０〜６０（粒／ｇ）である。ここで、１グラム当りの粒数とは、本組成物１ｇ中における平均粒数を意味し、例えばマルチオートカウンター（藤原製作所株式会社製）を用いて粒数を測定し、これを測定対象とした本組成物の重さ（グラム）で除することにより求めることができる。
【００３２】
本組成物は、見かけ比重が０．８５〜１．０７であり、好ましくは１．０２〜１．０６である。本発明において、見かけ比重は、農薬公定検査法と同様の方法にて測定される。より具体的には、内径５０ｍｍ、容積１００ｍＬの金属製円筒容器の上縁の１０ｃｍ上方から、試料を静かに落として容器を満たし、ただちにスライドグラスを用いて余剰分をすり落として秤量し、内容物の重量（Ａ（ｇ））を求め、次の式によって算出される値が、本組成物の見かけ比重である。
見かけ比重の算出式  ：  見かけ比重＝Ａ／１００
【００３３】
本組成物において、農薬成分の含有量は、本組成物１００重量部に対して、通常０．００１〜５．０重量部、好ましくは０．００３〜０．４重量部である。このように、本組成物中の農薬成分の含有量が比較的低いことから、本組成物の１グラムあたりの粒数は、用いられる本粒状肥料の１グラム当りの粒数を目安とすることができる。すなわち、本組成物においては、ほとんどの場合、前記の市販化成肥料の中から、１グラム当りの粒数が１５〜８０の化成肥料を選択して、これを本粒状肥料に使用することができる。
【００３４】
本組成物は、転動している当該本粒状肥料に、上記の農薬成分を添加することにより得られ、かかる農薬成分を転動している本粒状肥料に添加する方法としては、例えば、農薬成分そのもの、または、農薬成分を有機溶媒等に溶解もしくは分散して調製される混合液を本粒状肥料に添加する方法が挙げられる。また、農薬成分を必要に応じて担体と混合して微粉末状にして添加してもよい。このとき、本粒状肥料から農薬成分が分離しないように、熱可塑性樹脂などのバインダーとなる成分を共存させてもよい。かかる成分としては、肥料成分の担体として例示した担体を挙げることができる。
【００３５】
農薬成分を溶解もしくは分散する有機溶媒としては、例えばハイゾールＳＡＳ−２９６（１−フェニル−１−キシリルエタンと１−フェニル−１−エチルフェニルエタンの混合物、新日本石油株式会社の商品名）、カクタスソルベントＨＰ−ＭＮ（メチルナフタレン８０％、株式会社ジャパンエナジーの商品名）、カクタスソルベントＨＰ−ＤＭＮ（ジメチルナフタレン８０％、株式会社ジャパンエナジーの商品名）、カクタスソルベントＰ−１００（炭素数９〜１０のアルキルベンゼン、株式会社ジャパンエナジーの商品名）、カクタスソルベントＰ−１５０（アルキルベンゼン、株式会社ジャパンエナジーの商品名）、カクタスソルベントＰ−１８０（メチルナフタレンとジメチルナフタレンの混合物、株式会社ジャパンエナジーの商品名）、カクタスソルベントＰ−２００（メチルナフタレンとジメチルナフタレンの混合物、株式会社ジャパンエナジーの商品名）、カクタスソルベントＰ−２２０（メチルナフタレンとジメチルナフタレンの混合物、株式会社ジャパンエナジーの商品名）、カクタスソルベントＰＡＤ−１（ジメチルモノイソプロピルナフタレン、株式会社ジャパンエナジーの商品名）、ソルベッソ１００（芳香族炭化水素として主にＣ９−１０のジアルキルおよびトリアルキルベンゼン、エクソンモービル有限会社の商品名）、ソルベッソ１５０（芳香族炭化水素として主にＣ１０−１１のアルキルベンゼン、エクソンモービル有限会社の商品名）、ソルベッソ１５０ＮＤ（芳香族炭化水素として主にＣ１０−１１のアルキルベンゼン、Ｅｘｘｏｎ  Ｍｏｂｉｌ  Ｃｈｅｍｉｃａｌ  Ｃｏｍｐａｎｙの商品名）、ソルベッソ２００（芳香族炭化水素として主にＣ１０−１４のアルキルナフタレン、エクソンモービル有限会社の商品名）、ソルベッソ２００ＮＤ（芳香族炭化水素として主にＣ１０−１４のアルキルナフタレン、Ｅｘｘｏｎ  Ｍｏｂｉｌ  Ｃｈｅｍｉｃａｌ  Ｃｏｍｐａｎｙの商品名）、ＵＬＴＲＡ  ＬＯＷ  ＮＡＰＨＴＨＡＬＥＮＥ  ＡＲＯＭＡＴＩＣ  １５０（芳香族炭化水素として主にＣ１０−１１のアルキルベンゼン、Ｅｘｘｏｎ  Ｍｏｂｉｌ  Ｃｈｅｍｉｃａｌ  Ｃｏｍｐａｎｙの商品名）、ＵＬＴＲＡ  ＬＯＷ  ＮＡＰＨＴＨＡＬＥＮＥ  ＡＲＯＭＡＴＩＣ  ２００（芳香族炭化水素として主にＣ１０−１４のアルキルナフタレン、Ｅｘｘｏｎ  Ｍｏｂｉｌ  Ｃｈｅｍｉｃａｌ  Ｃｏｍｐａｎｙの商品名）、スワゾール１００（トルエン、丸善石油化学株式会社の商品名）、スワゾール２００（キシレン、丸善石油化学株式会社の商品名）、コーティングオイル（石油系炭化水素、新日本石油株式会社の商品名）が挙げられ、これらの有機溶剤は適宜組合せて用いることが出来る。
【００３６】
より具体的には、本組成物は、例えば、次のようにして調製することができる。
（１）コーティングオイル等の有機溶媒に所定量の農薬成分を添加して攪拌機等を用いて常温下で溶解あるいは分散させることにより混合液を得る。
（２）本粒状肥料が転動攪拌されているドラムミキサー等の混合機内へ上記で得た混合液を投入・攪拌することにより本組成物を得る。
【００３７】
かかる方法により得られる本組成物は、さらに必要に応じて固結防止のために、本組成物表面にクレー等の固結防止成分を添加する処理が施されてもよい。固結防止成分としては、前述の肥料成分の担体が同様に使用でき、通常、工業用として市販の微粉が使用される。
【００３８】
本組成物において、微粉の添加量は、通常、本粒状肥料に対し０．１〜３重量％、好ましくは０．３〜１．５重量％である。
本組成物に対する微粉の添加方法としては、回転円筒や回転皿等の混合機に本組成物を供給し転動させながら、これに微粉を添加、混合する方法が通常採られる。
【００３９】
本組成物の粒度は、通常１ｍｍ〜１５ｍｍである。本発明において、粒度とは平均粒子径を意味する。例えば、ランダムに１００粒を取り出し、ＣＣＤカメラ（日立電子ＤＫ−７００１Ｎ）を用いて得られる画像を電子計算機に取り込み、この取り込んだ画像を画像解析ソフトＷＩＮ  ＲＯＯＦ（三谷商事株式会社）を用いて解析することにより、平均粒子径を算出することができる。また、本組成物の粒度分布は、極端に異なる粒度を有する群が複数存在することにより複数の山頂を有する分布（多峰性分布）よりも、１つの山頂を有する分布（単峰性分布）である方が好ましい。本組成物の粒度分布のバラツキを表す変動係数Ｃｖは通常５〜２５であり、好ましく８〜１８である。本発明において、本組成物の粒度分布における変動係数Ｃｖは、例えば、上記平均粒子径と同様の方法により、算出することができる。
【００４０】
本組成物の安息角は、通常２５°〜４５°であり、好ましくは３０°〜４０°である。本発明において、安息角は、例えば、次のようにして測定することができる。まず、試料台にテーブル（安息角測定用）を設置し、その上方にロートをロート先端（下端）がテーブルから５ｃｍ以内の高さになるように設置する。そして、ロート上部に試料添加を開始し、ロートを通過した試料がテーブルからこぼれ始めた後、該試料が形成する山の角度（仰角）が一定になった時点で試料の添加を停止し、分度器を用いて該角度を測定する。
【００４１】
本発明に用いられる施肥機としては例えば、肥料の繰出量を開閉板の開度により調整する施肥機、及び散布ロールに設けられた溝の幅と散布ロールの回転速度とにより調整する施肥機が挙げられる。肥料の繰出量を開閉板の開度により調整する施肥機には、肥料を収容するホッパーの底板に排出口と、該排出口を開閉するための開閉板（シャッター板）とが設けられている。そして該ホッパーの底板排出口と開閉板とで形成される開口部の面積を変化させることにより該ホッパーの底板排出口から落とされる肥料の量を調整することができる。
肥料の繰出量を散布ロールに設けられた溝の幅と散布ロールの回転速度とにより調整する施肥機には、肥料を収容するホッパーの底板排出口の直上にモータの駆動で回転する溝付きの散布ロールが設けられている。そして該モータの回転数を制御することにより、該ロールから落とされる肥料の量を調整することができる。該施肥機においては、散布ロールに設けられた溝の幅を変化させることによって肥料の繰出量を調整することもできる。
【００４２】
また、施肥機はその施用形態によりさらに区分され、本発明においては、肥料をホッパーの底板に設けられた排出口から落下させて施用する方式の施肥機及び肥料を遠心力により施用する方式の施肥機を用いることができる。肥料をホッパーの底板に設けられた排出口から落下させて施用する方式の施肥機は、一般にライムソワーとも呼ばれる施肥機である。肥料を遠心力により施用する方式の施肥機は、一般にブロードキャスターとも呼ばれる施肥機であり、水平回転する円板の上に肥料を落下させ、円板の遠心力により拡散させるスピンナ型と、左右に揺動する筒から肥料を振り出し、拡散させるスパウト型とがある。
【００４３】
具体的には、ＪＰ２００９−２０１４７１−Ａに記載されているような、肥料の繰出量を開閉板の開度により調整し、且つ肥料をホッパーの底板に設けられた排出口から落下させて施用する方式の施肥機（以下、シャッター構造の施肥機と記す。）が挙げられる。市販されているシャッター構造の施肥機としては、サンソワーアルファＳＦ１３５（株式会社ジョーニシ）、サンソワーアルファＳＦ１８５（株式会社ジョーニシ）が挙げられる。また、ＪＰ２００５−３１２３５１−Ａに記載されているような、肥料の繰出量を散布ロールに設けられた溝の幅と散布ロールの回転速度とにより調整し、且つ肥料をホッパーの底板に設けられた排出口から落下させて施用する方式の施肥機（以下、散布ロール式の施肥機と記す。）が挙げられる。市販されている散布ロール式の施肥機としては、サンソワーＶ−Ｆ１０（株式会社ジョーニシ）、サンソワーＶ−Ｒ１０（株式会社ジョーニシ）、サンソワーＶ−Ｆ０７（株式会社ジョーニシ）、サンソワーＶ−Ｆ０５（株式会社ジョーニシ）、サンソワーＶ−Ｒ０５（株式会社ジョーニシ）が挙げられる。また、ＪＰＨ０６−２００２−ＢやＪＰ２０１０−１１８２３−Ａに記載されているような、肥料の繰出量を開閉板の開度により調整し、且つ肥料を遠心力により施用する方式の施肥機（以下、ブロードキャスターと記す。）が挙げられる。市販されているスパウト型のブロードキャスターとしては、ブロードキャスターＭＰ２２０Ｅ・３３０Ｅシリーズ（松山株式会社）、ブロードキャスターＭＰ２２０・３３０シリーズ（松山株式会社社）、ブロードキャスターＭＰ４１０Ｅ（松山株式会社）、ブロードキャスターＭＰ５１０Ｅ（松山株式会社）、ブロードキャスターＭＰ４１０（松山株式会社）、ブロードキャスターＭＰ５１０（松山株式会社）、ブロードキャスターＭＰ２０６（松山株式会社）、ブロードキャスターＭＰ３０６（松山株式会社）、ブロードキャスターＭＰ４０５（松山株式会社社）、ブロードキャスターＭＰ５０５（松山株式会社）、ブロードキャスターＭＰ６０５（松山株式会社）、ブロードキャスターＭＰ８０５（松山株式会社）が挙げられる。
【００４４】
本発明は、本組成物を上記施肥機を用いて土壌に施用する方法に関し、施用対象となる土壌としては、畑地などの農地をあげることができ、殊に甘藷を栽培する畑が好適である。土壌への施用法としては、通常の肥料の施用法と同様の、作条処理、珪内処理、全層処理等を例示することができる。ここで、作条処理とは作物の種をまくために畑に一定間隔に掘る浅い溝への本粒状組成物の処理を指し、また、畦内処理とは畦を作りながら本粒状組成物を畦内に混ぜ込む処理である。全層処理とは作土層（耕起される土層）全層への本粒状組成物の混合処理を意味する。
【実施例】
【００４５】
以下、実施例により本発明をさらに具体的に説明するが、本発明はこれらに限定されるものではない。【００４６】
実施例１
７０．０重量部の常温固体である（Ｅ）−１−（２−クロロ−１，３−チアゾール−５−イルメチル）−３−メチル−２−ニトログアニジン（一般名：クロチアニジン）及び３０．０重量部の勝光山クレーＳ（ロウ石、勝光山鉱業所製）を均一に混合し、遠心粉砕機にて粉砕して、体積中位径が１２μｍ（ＭＡＬＶＥＲＮ製ＭＡＳＴＥＲＳＩＺＥＲ２０００により測定）のクロチアニジンを含有する粉状農薬（以下、粉状農薬１と記す。）を得た。
次に、１Ｌ容量のセパラブルフラスコに粉状農薬１を３４．７３ｇとコーティングオイル（石油系炭化水素、新日本石油株式会社製）を５１９．９３ｇとを加え、ホモミキサー（ＴＫオートホモミキサー、プライミクス株式会社製）を用いて、２０分間攪拌し、クロチアニジン懸濁液を得た。
次に、１４ｒｐｍで回転しているドラムミキサー（ＵＤ−５、杉山重工株式会社製）内で転動している１グラム当りの粒数が２０．９（粒／ｇ）の化成肥料（ＳＲ化成１６２、住友化学製）３５．０ｋｇにクロチアニジン懸濁液５５４．６６ｇを常温で添加し、６０分間混合した。その後、特花ＳＰクレー（ロウ石、勝光山鉱業所製）４３１．９２ｇを常温で添加し、１０分間混合し、クロチアニジンと化成肥料とを含む粒状組成物１（２２．３粒／ｇ）を得た。【００４７】
実施例２
１グラム当りの粒数が３６．３（粒／ｇ）の化成肥料を使用した以外は実施例１と同じ製造方法にてクロチアニジンと化成肥料とを含む粒状組成物２（３５．８粒／ｇ）を得た。【００４８】
実施例３
１グラム当りの粒数が５６．７（粒／ｇ）の化成肥料を使用した以外は実施例１と同じ製造方法にてクロチアニジンと化成肥料とを含む粒状組成物３（５５．９粒／ｇ）を得た。【００４９】
実施例４
１Ｌ容量のセパラブルフラスコに常温液体であるフェニトロチオンを２４．６１ｇとソルベッソ１５０（芳香族炭化水素として主にＣ１０−１１のアルキルベンゼン、エクソンモービル有限会社製）を５３０．０３ｇとを加え、ホモミキサー（ＴＫオートホモミキサー、プライミクス株式会社製）を用いて、２０分間攪拌し、フェニトロチオン溶解液を得た。
次に、１４ｒｐｍで回転しているドラムミキサー（ＵＤ−５、杉山重工株式会社製）内で転動している１グラム当りの粒数が３６．６（粒／ｇ）の化成肥料（ＳＲ化成１６２、住友化学製）３５．０ｋｇにフェニトロチオン溶解液５５４．６４ｇを常温で添加し、６０分間混合した。その後、特花ＳＰクレー（ロウ石、勝光山鉱業所製）４３１．９２ｇを常温で添加し、１０分間混合し、フェニトロチオンと化成肥料とを含む粒状組成物４（３７粒／ｇ）を得た。【００５０】
実施例５
１Ｌ容量のセパラブルフラスコに常温固体であり、かつ、体積中位径が４μｍ（ＭＡＬＶＥＲＮ製ＭＡＳＴＥＲＳＩＺＥＲ２０００により測定）であるフラメトピルを３４．１８ｇとコーティングオイル（石油系炭化水素、新日本石油株式会社製）を５２０．４８ｇとを加え、ホモミキサー（ＴＫオートホモミキサー、プライミクス株式会社製）攪拌機を用いて、２０分間攪拌し、フラメトピル懸濁液を得た。
次に、１４ｒｐｍで回転しているドラムミキサー（ＵＤ−５、杉山重工株式会社製）内で転動している１グラム当りの粒数が３７．９（粒／ｇ）の化成肥料（ＳＲ化成１６２、住友化学製）３５．０ｋｇにフラメトピル懸濁液５５４．６６ｇを常温で添加し、６０分間混合した。その後、特花ＳＰクレー（ロウ石、勝光山鉱業所製）４３１．９２ｇを常温で添加し、１０分間混合し、フラメトピルと化成肥料とを含む粒状組成物５（３７．６粒／ｇ）を得た。【００５１】
比較例１
１グラム当りの粒数が１１．４（粒／ｇ）の化成肥料を使用した以外は製造例１と同じ製造方法にてクロチアニジンと化成肥料を含む粒状組成物Ｉ（１２．９粒／ｇ）を得た。【００５２】
比較例２
１グラム当りの粒数が８３．０（粒／ｇ）の化成肥料を使用した以外は製造例１と同じ製造方法にてクロチアニジンと化成肥料を含む粒状組成物ＩＩ（８３．５粒／ｇ）を得た。【００５３】
なお、実施例１〜５、比較例１および２で製造された粒状組成物１〜５、ＩおよびＩＩの１ｇ当たりの粒数はマルチオートカウンター（藤原製作所株式会社製）を用いて粒数を測定し、採取した粒子のグラム数で除することにより求めた。【００５４】
実施例１〜５、比較例１および２で製造された粒状組成物１〜５、ＩおよびＩＩについて、表１にその組成を示す。【００５５】
【表１】
2014098203.tif 000002
【００５６】
粒状組成物１〜５、ＩおよびＩＩについて、見かけ比重及び安息角を前記の方法により測定した。結果を表２に示す。【００５７】
【表２】
2014098203.tif 000003
【００５８】
試験例１
粒状組成物１  ３５９８６．６ｇを、シャッター構造の施肥機（サンソワーアルファＳＦ１３５、株式会社ジョーニシ製）のホッパーに入れ、該施肥機の量調節レバーにてシャッター開度目盛を６に調節し、約６００ｇ／分で繰り出されるように該施肥機を作動させ、繰り出し開始から１分後、２０分後、４０分後、６０分後に、１分間に排出口から繰り出される粒状組成物（約６００ｇ）を回収した。１分後、２０分後、４０分後、６０分後に回収したそれぞれの粒状組成物について農薬有効成分含量を測定し、次の式によって変動係数Ｃｖを算出した。
変動係数Ｃｖの算出式：
変動係数Ｃｖ＝（１分後、２０分後、４０分後、６０分後に回収した粒状組成物の農薬有効成分含量の標準偏差）／（１分後、２０分後、４０分後、６０分後に回収した粒状組成物の農薬有効成分含量の平均値）×１００
粒状組成物２〜５、ＩおよびＩＩについても同様の操作を行い、それぞれについてＣｖを算出した。【００５９】
試験例２
施肥機を標準ロール（ロールＪ、株式会社ジョーニシ製）を取り付けた散布ロール式の施肥機（サンソワーＶ−Ｒ０５、株式会社ジョーニシ製）に変更し、繰出量を散布量調節ダイヤルの目盛を５に設定して約６００ｇ／分に調整した以外は試験例１と同じ試験を実施した。【００６０】
試験例３
施肥機をブロードキャスター（ＭＰ３０６、松山株式会社製）に変更し、繰出量を開度レバーの目盛を６に設定して約６００ｇ／分に調整した以外は試験例１と同じ試験を実施した。【００６１】
上記試験例１〜３の結果を表３に示す。【００６２】
【表３】
2014098203.tif 000004
【００６３】
試験例４
圃場にて効力試験を実施した。標準ロール（ロールＪ、株式会社ジョーニシ製）を取り付けた散布ロール式の施肥機（サンソワーＶ−Ｒ１０、株式会社ジョーニシ製）のホッパーに粒状組成物２を投入し、１０ａ当たりに６７．５ｋｇの割合で畦内処理し、「本発明区」とした。比較として、無肥料かつ無農薬条件にて畝立てし、「無処理区」とした。畝立ての２日後に畦間×株間＝９０ｃｍ×４０ｃｍ、２７７株／ａの条件で「本発明区」および「無処理区」に甘藷（品種：コガネセンガン）の苗を植え付け、１５４日後に甘藷を収穫した。収穫した甘藷２０株中の上イモ（イモ１個当たりの重量が５０ｇ以上のもの）に対する被害イモ（害虫による食痕のあるイモ）の個数をそれぞれ２反復調査した。結果を表４に示す。【００６４】
【表４】
2014098203.tif 000005
【００６５】
試験例５
甘藷の収穫を苗の植え付け後から１８０日とした以外は試験例１と同じ試験を実施した。結果を表５に示す。【００６６】
【表５】
2014098203.tif 000006
【国際調査報告】
2014098203.tif 000007
2014098203.tif 000008
2014098203.tif 000009
2014098203.tif 000010